【事件の表示】
　上記当事者間の登録第４７６２１２７号商標の商標登録無効審判事件について，次のとおり審決する。
【結　論】
　本件審判の請求は，成り立たない。
　審判費用は，請求人の負担とする。
【理　由】
第１　本件商標
　登録第４７６２１２７号商標（以下，「本件商標」という。）は，「キャバリーノ」の片仮名文字を横書きしてなり，平成１５（２００３）年１月２０日に登録出願，第１６類「印刷物，書画，写真」及び第４１類「電子出版物の提供，図書及び記録の供覧，書籍の制作，映画・演芸・演劇又は音楽の演奏の興行の企画又は運営，映画の上映・制作又は配給，放送番組の制作，教育・文化・娯楽・スポーツ用ビデオの制作（映画・放送番組・広告用のものを除く。），スポーツの興行の企画・運営又は開催，興行の企画・運営又は開催（映画・演芸・演劇・音楽の演奏の興行及びスポーツ・競馬・競輪・競艇・小型自動車競走の興行に関するものを除く。），小型自動車競走の企画・運営又は開催，図書の貸与，レコード又は録音済み磁気テープの貸与，録画済み磁気テープの貸与，ネガフィルムの貸与，ポジフィルムの貸与，おもちゃの貸与，遊園地用機械器具の貸与，遊戯用器具の貸与，書画の貸与，写真の撮影」を指定商品又は指定役務として，同１６（２００４）年２月２７日に登録査定，同年４月９日に設定登録されたものである。
　
第２　請求人の主張
　請求人は，本件商標の登録を無効とする，審判費用は被請求人の負担とする，との審決を求め，その理由及び答弁に対する弁駁の要旨を次のように述べ，証拠方法として，甲第１号証ないし甲第３０号証（枝番を含む。）を提出した。
１　請求人及び請求人標章について
（１）請求人は，１９４７年にエンツォ・フェラーリ氏によってイタリア国に設立された世界有数のスポーツカー製造業者であり，１９５０年から世界最高峰の自動車レースである「フォーミュラ・ワン（Ｆ１）」に出走するなど，これまで自動車レース活動を積極的に行ってきた。また，市販用のスポーツカーやＧＴカーも製造し，世界各国にて販売する他，関連グッズとして，模型自動車などのおもちゃ，衣服，かばん，アクセサリー類など広く商品展開を行っている。請求人の名声は，Ｆ１への参加及びスポーツカーなどの販売活動を通じて，特定のモータースポーツ愛好家のみならず，広く一般人にも及んでいるということは顕著な事実である。
（２）請求人は，創始以来，「Ｆｅｒｒａｒｉ」のロゴとともに，後足で立ち上がった馬（跳ね馬）をモチーフにした紋章（以下「跳ね馬紋章」という）をコーポレートシンボルとして採択使用している。
　この跳ね馬紋章は，イタリア語で「ｃａｖａｌｌｉｎｏ　ｒａｍｐａｎｔｅ」という愛称で広く親しまれており，請求人は，当該愛称及びその略称「ｃａｖａｌｌｉｎｏ」（以下，合わせていうときには「請求人標章」という。）を，自動車の販売，自動車レース，関連グッズの販売といった請求人のあらゆる事業活動に用いている。
２　商標法第４条第１項第１５号該当性について
（１）請求人標章の周知・著名性
（ア）前記のとおり，請求人標章は，請求人の長年にわたる大規模な活動の結果，請求人のコーポレートシンボルである跳ね馬紋章の愛称及びその略称として，広く認識されている。
　オリンパス株式会社の製造する跳ね馬紋章を施したデジタルカメラが，２００３年１０月頃に世界で１万台，日本で１千台限定で販売され（甲第５号証の１ないし５），また，日本エイサー株式会社の製造する跳ね馬紋章を施した液晶ディスプレイモニターが日本国内で販売され，２００５年９月にも跳ね馬紋章を付したノート型パソコンが販売された（甲第６号証の１及び２並びに甲第７号証）。
　跳ね馬紋章をあしらったマグカップが，日本国内の需要者向けに販売され（甲第８号証及び甲第９号証），また，跳ね馬紋章をあしらったデニムシャツ，ロンパース（ベビー服），ポロシャツなども日本国内の需要者向けに販売され，これらの商品名中に「キャバリーノ」の文字が記載されている（甲第１０号証ないし甲第１２号証）。さらに，跳ね馬紋章をあしらったホイールキャップなどの自動車関連アクセサリーが日本国内の需要者向けに販売され，これらの商品名中に「カバリノ」「Ｃａｖａｌｌｉｎｏ」の文字が記載されている（甲第１３号証）。
　「ＣＡＶＡＬＬＩＮＯ」を表題とする雑誌が米国において古くから発行され，日本にも輸入されている。これは，請求人のスポーツカーを専ら題材とした専門誌であって，「ＣＡＶＡＬＬＩＮＯ」の文字単独であっても請求人の業務が連想され得るという推認をより強固にするものである。
　以上のように，請求人標章は，請求人のコーポレートシンボルである跳ね馬紋章の愛称及びその略称を意味するものとして広く知られており，イタリア語で「跳ね馬」を意味するとしても，イタリア語の普及度の低い日本においては，むしろ請求人固有の愛称として周知されている。跳ね馬紋章が請求人の業務全体の表示として認知されていることも合わせて考慮すると，請求人標章は，単なる愛称ではなく，請求人の業務全体に係る商品・役務を表示する商標として，需要者の間で，広く認知されるに至っているということができる。
（イ）被請求人は，請求人の使用例は，「Ｆｅｒｒａｒｉ」の商品であることが明示されるか，「Ｆｅｒｒａｒｉ」の表示とともに商品名の一部分として「キャバリーノ」が使用されているにすぎないと述べるが，請求人の商品にハウスマークかつ商号の要部である「Ｆｅｒｒａｒｉ」の表示を伴って使用することは至極当然であり，甲第１０号証ないし甲第１３号証の使用態様を見ても，「Ｆｅｒｒａｒｉ」の表示と外観的にも観念的にも一体不可分に使用されているとまでは言い難いことからすれば，これらの使用例やかかる被請求人の論拠は，「ｃａｖａｌｌｉｎｏ」「キャバリーノ」の表示が，独立した出所識別標識として認識され得る可能性を否定するものではない。
　被請求人は，「ｃａｖａｌｌｉｎｏ」は，イタリア語で「若駒」を意味し，請求人の「標章」を意味する単語ではない。一般的な伊和辞典において，「ｃａｖａｌｌｉｎｏ　ｒａｍｐａｎｔｅ」が，請求人の標章を意味する趣旨の例文や説明などは存在しないと述べるが，イタリア語の普及度の高くない日本においては，各語を単なるディクショナリーワードとして認識しないのが自然であり，イタリア語の熟語として存在しない以上，むしろ，「ｃａｖａｌｌｉｎｏ」「キャバリーノ」と略称されている事実からは，本件商標は，需要者をして請求人の代表的出所標識である跳ね馬紋章を優先的に想起させるというべきである。
　被請求人は，「ｃａｖａｌｌｉｎｏ　ｒａｍｐａｎｔｅ」が周知，著名であればあるほど，本件商標と明瞭に識別され，出所が誤認，混同されることはないと述べるが，これは，被請求人の前提とする周知・著名な商標と，その一部と共通する商標とを対比する場面において用いられる理論ではなく，本件とは事案が全く異なるというべきである。また，「ｃａｖａｌｌｉｎｏ」「キャバリーノ」がイタリア語の「若駒」を意味することが，日本の需要者に浸透しているならまだしも，前記のとおり，そのような事実は存在しないのであるから，本件商標と「ｃａｖａｌｌｉｎｏ　ｒａｍｐａｎｔｅ」とは，依然として観念上相紛らわしいというべきである。
（２）請求人標章と本件商標との類似性
　本件商標からは，「キャバリーノ」の称呼が生じる。
　他方，「ｃａｖａｌｌｉｎｏ　ｒａｍｐａｎｔｅ」は，「キャバリーノ・ランパンテ」の称呼が比較的冗長であること，熟語として一般の日本人に比較的親しみのないイタリア語であることからすれば，「キャバリーノ・ランパンテ」の称呼以外に「キャバリーノ」と省略して称呼され得る。また，前記のとおり，実際に，請求人標章あるいは跳ね馬紋章が「キャバリーノ」「Ｃａｖａｌｌｉｎｏ」「カバリノ」と略称して取引に用いられている事情が存在する（甲第１０号証ないし甲第１３号証）。
　したがって，本件商標と請求人標章の称呼は共通し，互いに聞き違えられるおそれがあり，外観，観念を比較するまでもなく，請求人標章と本件商標の類似性は極めて高いということができる。
（３）請求人の業務及び本件商標の指定商品・役務との関連性について
（ア）請求人標章は，前記のとおり，請求人の業務に係る商品・役務を表示する商標として，広く認知されているものである。
　請求人の業務は，主に，スポーツカーに関連するものであるが，自動車産業のみならず，エンターテインメントとしての側面も備えており，幅広い分野に関連する。請求人は，多種多様な関連グッズを自ら，あるいはライセンシーを通じて販売しており，これは，多角的に商品・役務が展開される可能性を示している。
（イ）本件商標の指定商品中の第１６類「印刷物，書画，写真」は，関連グッズとして，請求人自身あるいはそのライセンシーによって取り扱われる可能性の非常に高い商品である。
　また，本件商標の指定役務中の第４１類「スポーツの興行の企画・運営又は開催，小型自動車競走の企画・運営又は開催」は，請求人のモータースポーツ業務に直接的に関連する役務であり，これ以外の第４１類に属する役務も，いずれもエンターテインメント分野としての請求人のモータースポーツ事業と密接に関連するものである。
　以上のとおり，本件商標の指定商品・役務は，いずれも請求人の業務に係る商品・役務と密接に関連するものである。
（４）まとめ
　以上のように，１）請求人標章が請求人固有の愛称として広く認識されていること，２）請求人標章と本件商標との類似性が高いこと，３）請求人業務が多角的に展開されていること，４）請求人業務と本件商標の指定商品・役務とが重複，あるいは密接に関連性していることからすれば，本件商標をその指定商品及び指定役務に使用した場合，これに接した需要者及び取引者は，請求人又は同人と資本関係又は業務提携関係を有する者の業務に係る商品又は役務であるかのようにその出所について混同を生ずるおそれは十分にあるから，本件商標は，商標法第４条第１項第１５号に該当する。
３　商標法第４条第１項第１９号該当性について
（１）請求人標章の周知性について
　前記のとおり，請求人標章は，請求人のコーポレートシンボルである跳ね馬紋章の愛称及びその略称として，請求人の大規模な活動の結果，広く一般の需要者及び取引者に認識されているということができる。
　また，これは，日本国内に限らず，スポーツカーの販売やＦ１レースヘの参戦を通じた請求人の世界的な活動の結果，国外の需要者及び取引者にも同様に認識されていることは容易に推測できる。
（２）請求人標章と本件商標の類似性について
　前記のとおり，本件商標と請求人標章とは，称呼が共通し，互いに類似するというべきである。
（３）不正の目的について
（ア）被請求人は，雑誌，書籍の出版を業とする法人である。被請求人の発行する雑誌には，自動車やモータースポーツに関するものが多く，そのうち「ＳＣＵＤＥＲＩＡ」なる雑誌は，請求人のスポーツカー及びレーシングチームを主題とするものである。
　以上の事実を考慮すると，被請求人は，請求人標章が請求人を示すものとして認知されていることを本件商標の出願時点において知悉していたことは明らかであって，偶然の一致とは考えがたい。また，被請求人は，常習的に著名な自動車製造業者の所有する商標を，第１６類，第４１類及びその他の商品区分で取得している。すなわち，本件商標は，著名な請求人標章，あるいはその略称の表音である「キャバリーノ」の文字が，本件商標の指定商品及び指定役務について登録されていないことを奇貨として，先取り的に出願したものであるといえ，請求人標章の有する出所表示機能を希釈化させる目的で出願したものである。
（イ）乙第３号証によれば，前記の「ＳＣＵＤＥＲＩＡ」に，ルカ・コルデロ・ディ・モンテゼモロ氏の氏名，写真とともに「Ａ　ｗａｒｍ　ｇｒｅｅｔｉｎｇ　ｔｏ　ａｌｌ　Ｊａｐａｎｅｓｅ”Ｆｅｒｒａｒｉｓｉｌ”」の文字が掲載されたことが窺えるが，この掲載内容の真偽は不明であるし，被請求人の述べるように「ＳＣＵＤＥＲＩＡ」の発行を歓迎して寄せられたものであるか否かも，乙第３号証のみでは明確ではなく，少なくとも「ＳＣＵＤＥＲＩＡ」という表題の使用を被請求人に対して承諾した事実まで認めることはできない。また，この事実は，本件商標の出願登録を是認した事実を証明するものではない。むしろ，乙第３号証は，被請求人が，請求人に関する深い知識を有しているのみならず，請求人関係者と一定の関係を有していたことを，被請求人自身が自認するものであり，これは，本件商標の出願が，請求人と全く無関係に請求人標章に依拠せずになされたものではないことを確信させるものである。
　乙第１３号証及び第１４号証は，請求人のスポーツカーを専ら題材とする専門誌である。被請求人が，請求人を題材とする雑誌に「ＣＡＶＡＬＬＩＮＯ」の文字が実際に用いられていることを本件商標の出願時において認識していたことは明らかであり，「ＣＡＶＡＬＬＩＮＯ」が跳ね馬紋章の愛称に依拠したものであることは明らかであり，少なくとも被請求人がそれを知らないはずはない。以上の被請求人の認識は，本件商標と跳ね馬紋章の愛称「ｃａｖａｌｌｉｎｏ　ｒａｍｐａｎｔｅ」とは異なるものであるとする被請求人の主張と全く矛盾するものである。
　以上のことから，仮に，本件商標が請求人業務との関係で出所混同を生じさせないとしても，被請求人の出願時での認識，知識を考慮すると，本件商標の登録出願に関する被請求人の不正の目的は明らかである。
（４）まとめ
　前記のとおり，本件商標は，請求人の業務に係る商品または役務を表示するものとして日本国内または外国における需要者の間に広く認識されている請求人標章と類似し，また，不正の目的をもって使用するものであるから，商標法第４条第１項第１９号に該当する。
４　商標法第４条第１項第７号該当性について
　被請求人は，請求人標章が，請求人を示すものとして認知されていることを本件商標の出願時点において知悉しながら，本件商標を請求人の承諾を得ることなく登録出願したものである。かかる出願は，その経緯に社会的相当性を欠くものであって，また，指定役務に関する本件商標の使用は，社会公共の利益に反するものであるから，本件商標は，商標法第４条第１項第７号に該当する。
５　結語
　以上のとおり，本件商標は，商標法第４条第１項第７号，同第１５号及び同第１９号に違反して登録されたものであるから，同法第４６条第１項第１号により無効とされるべきものである。
　
第３　被請求人の主張
　被請求人は，結論同旨の審決を求めると答弁し，その理由の要旨を次のように述べ，証拠方法として，乙第１号証ないし乙第１４号証（枝番を含む。）を提出した。
１　商標法４条１項１５号の該当性について
　本件商標が跳ね馬紋章の愛称「キャバリーノ・ランパンテ」「ｃａｖａｌｌｉｎｏ　ｒａｍｐａｎｔｅ」の略称である旨の請求人の主張は事実に反し，前提を欠くというべきであり，本件商標が他人の業務に係る商品又は役務と混同を生ずるおそれはない。
　請求人が跳ね馬紋章を使用しており，これに跳ね馬，イタリア語で「ｃａｖａｌｌｉｎｏ　ｒａｍｐａｎｔｅ」（キャバリーノ・ランパンテ）という愛称があるとしても，愛称はあくまでも「ｃａｖａｌｌｉｎｏ　ｒａｍｐａｎｔｅ」「キャバリーノ・ランパンテ」であり，「キャバリーノ」がその略称として広く認識されている事実はない。
　請求人は，甲第５号証の１ないし５，甲第６号証の１及び２，甲第７号証ないし甲第１３号証を提出しているが，いずれも，跳ね馬紋章を使用していることが明瞭であって，商品そのものに「ｃａｖａｌｌｉｎｏ」「キャバリーノ」の文字が請求人の標章の略称として使用されていない。
　また，甲第１０号証ないし甲第１３号証に記載の各商品は，いずれも「Ｆｅｒｒａｒｉ　フェラーリ」「Ｆｅｒｒａｒｉ　Ｓｔｏｒｅ〔フェラーリ純正アイテム〕」「Ｆｅｒｒａｒｉ　Ｏｔｈｅｒ！」との表示のもとに，Ｆｅｒｒａｒｉの商品であることが明示された上で，Ｆｅｒｒａｒｉ，跳ね馬紋章が表示されているものであり，商品名の一部分として「キャバリーノ」が使用されているに過ぎない。しかも，商品名の一部分に「キャバリーノ」が使用されている場合であっても，多くは「Ｆｅｒｒａｒｉ　Ｃａｖａｌｌｉｎｏ」のように「Ｆｅｒｒａｒｉ」が結合されていることに留意すべきであるから，請求人標章が「キャバリーノ」と省略して称呼され得るとする根拠は存在しない。
　本件商標は，イタリア語の普通名詞で「若駒」を意味する「ｃａｖａｌｌｉｎｏ」を片仮名で表記した標章であるが，「ｃａｖａｌｌｉｎｏ」が請求人の標章を意味している単語でないことはいうまでもない。一般的な伊和辞典においては，「ｃａｖａｌｌｉｎｏ　ｒａｍｐａｎｔｅ」が請求人の標章を意味しているなどとする趣旨の例文や説明などが存在しないことも明瞭であり，これらがイタリア語において，「キャバリーノ」「ｃａｖａｌｌｉｎｏ」「カバリーノ」と略称されることがないばかりでなく，日本においてそのような略称が称呼され得るとする根拠は存在しない。
　請求人は，跳ね馬紋章の愛称として「ｃａｖａｌｌｉｎｏ　ｒａｍｐａｎｔｅ」「キャバリーノ・ランパンテ」が広く認識されていると主張するが，仮に，そうであるならば，跳ね馬紋章の愛称が単に「ｃａｖａｌｌｉｎｏ」，「キャバリーノ」と称呼されることはない。すなわち，東京高裁平成４年３月１０日判決，判時１４１３号１１４頁の判示に照らしても，「ｃａｖａｌｌｉｎｏ　ｒａｍｐａｎｔｅ」，「キャバリーノ・ランパンテ」が周知，著名であればあるほど，本件商標と明瞭に識別され，出所が誤認，混同されることはない。
２　商標法４条１項１９号に関する主張について
　請求人は，本件商標が跳ね馬紋章の愛称の略称であるとの誤った事実を前提として，本件商標をあたかも不正の目的をもって使用するものであるかのように論難しているが，以下のとおり，事実を誤っているばかりでなく，意図的に歪曲したうえでなされた誠実さを欠く主張であって失当である。
　請求人は，被請求人が１９９５年以降フェラーリをテーマとする雑誌「ＳＣＵＤＥＲＩＡ」を刊行していることについて，不正の目的があるかのように主張しているが，請求人自身が被請求人が発行する雑誌「ＳＣＵＤＥＲＩＡ」の発刊を歓迎していたことを没却して，不当に非難するものであるといわざるをえず，遺憾であるというほかはない。
　乙第３号証は，雑誌「ＳＣＵＤＥＲＩＡ」創刊号であるが，冒頭に「Ｆｅｒｒａｒｉ　Ｓ．ｐ．Ａ．社長　ルカ・コルデロ・デイ・モンテゼモロ」氏が当該雑誌の発刊を歓迎する挨拶を寄せている（乙第４号証）。
　請求人は，本件商標は著名な請求人標章，あるいはその略称の表音である「キャバリーノ」の文字が登録されていないことを奇貨として，先取り的に出願したものであるといえるなどと主張しているが，「ｃａｖａｌｌｉｎｏ」が「ｃａｖａｌｌｉｎｏ　ｒａｍｐａｎｔｅ」とは異なっていることを無視している立論であるというほかはない。
　アメリカ合衆国においては，「ＣＡＶＡＬＬＩＮＯ」を表題とする雑誌が古くから刊行されているが（乙第１３号証及び第１４号証），同国においても「ＣＡＶＡＬＬＩＮＯ」は，「ｃａｖａｌｌｉｎｏ　ｒａｍｐａｎｔｅ」とは明瞭に識別されていることが銘記されなければならない。
３　商標法４条１項７号の該当性について
　請求人は，前記のとおり，誤った前提に立脚して独善的な主張を重ねるものであって，本件商標が商標法４条１項７号に該当するなどという請求人の主張は，根拠を欠いており，失当である。
４　以上のとおり，請求人の主張はいずれも事実に反しており，本件商標に無効理由は存在しない。
　
第４　当審の判断
１　請求人標章の著名性について
（１）請求人は，請求人標章は請求人が自動車の販売，自動車レース，関連グッズの販売といった請求人のあらゆる事業活動に使用していることにより，需要者の間に広く認識されていることを前提に，本件商標が商標法第４条第１項第１５号，第１９号及び第７号に該当する旨主張する。
　ところで，商標法第４条第１項第１５号及び第１９号を適用するには，その商標登録出願が，出願時，かつ，査定時において各号の規定に該当しなければならないものと解される（商標法第４条第３項）。そこで，請求人が提出した甲各号証が出願時（平成１５（２００３）年１月２０日）及び査定時（同１６（２００４）年２月２７日）における事実を立証するものであるか否かを踏まえ，請求人の主張について以下のとおり検討する。
　甲第３号証は，フェラーリに関するフリー百科事典「ウィキペディア」の記事と認められる。これには，「請求人（フェラーリ）は，現在フィアットグループの傘下にあり，高級ＧＴカー及び高級スポーツカーのみを製造している，イタリア，モデナ県マラネッロに本社を置く自動車メーカーである。」との記載のほか，請求人の「沿革」や「日本における販売」などに関する記載がなされている中，「カヴァッリーノ・ランパンテ」の項が設けられ，その説明として「イタリア語で後足で立ち上がった馬の紋章を使用するため，『跳ね馬』の愛称をもつ［９］。…」→「［９］この紋章はイタリア語で『カヴァッリーノ・ランパンテ』（Ｃａｖａｌｌｉｎｏ　Ｒａｍｐａｎｔｅ）といい，直訳では『立ち馬』であるが，英訳でも『跳ねる馬』（Ｐｒａｎｃｉｎｇ　Ｈｏｒｓｅ）となっている。」などの記載がなされている。しかし，これらの記事のウェブサイトへの掲載日を特定する記載はない。
　甲第４号証の１ないし４は，「カヴァリーノ・ランパンテ（キャバリーノ・ランパンテ）」の語義を説明したブログと認められる。甲第４号証の１には「Ｐｕｂｌｉｓｈｅｄ　Ｏｎ：７　１０，２００４」の記載及び２００４年７月のカレンダーの表示がある。甲第４号証の４には掲載日を特定する記載はなく，記事中に「２００８．０２／０４［Ｍｏｎ］ディーノさんのお誕生日」の記載がある。そして，甲第４号証の２及び３には掲載日などを特定する記載はない。
　甲第５号証の１ないし５は，オリンパス株式会社が販売した跳ね馬紋章が施されたデジタルカメラに関するウェブサイトの記事と認められる。そのそれぞれの説明文中に，デジタルカメラに「キャバリーノ・ランパンテ（はね馬）」のロゴが施されている旨の記載がある。また，甲第５号証の１には「２００３年９月１７日」の記載及び説明文中に「ご購入予約開始日（日本国内）として，２００３年１０月１０日」の記載，甲第５号証の２には「２００４年３月４日」の記載，甲第５号証の３及び４には２００３年９月２６日の記載，甲第５号証の５には同月１７日の記載がある。
　甲第６号証の１及び２並びに甲第７号証は，日本エイサーが販売した跳ね馬紋章が施された液晶ディスプレイなどに関するウェブサイトの記事と認められる。その各々の説明文中に，製品に「キャバリーノ・ランパンテ（はね馬）」のロゴ又は「はね馬」のエンブレムが施されている旨の記載がある。また，甲第６号証の２には「２００５／１１／１０更新」の記載及び説明文中に「…２００５年１１月下旬より発売すると発表した。…」の記載があり，甲第７号証には「２００５年８月３１日更新」の記載及び説明文中に「…２００５年度モデル『Ｆｅｒｒａｒｉ４０００』を発表した。９月２２日発売で，…」の記載がある。そして，甲第６号証の１には掲載日などを特定する記載はない。
　甲第８号証及び甲第９号証は，跳ね馬紋章が施されたマグカップに関するウェブサイトの記事と認められる。それぞれの説明文中に「キャバリーノ・ランパンテ（はね馬）」の記載はあるが，甲第８号証には掲載日を特定する記載はなく，記事中に営業カレンダーとして，２００９年４月及び同年５月のカレンダーの表示があり，甲第９号証には登録情報として，「Amazon.co.jpでの取り扱い開始日：２００８／９／２２」の記載がある。
　甲第１０号証ないし甲第１３号証は，跳ね馬紋章が施されたデニムシャツ，ジャケットなどの商品に関するウェブサイトの記事と認められる。それらの商品の説明として「キャバリーノ」，「カバリノ」，「Ｃａｖａｌｌｉｎｏ」などの文字が使用されていることは認められるが，いずれにも掲載された商品の販売年月日及び当該記事のウェブサイトへの掲載日などを特定する記載はない。
　以上の甲各号証における記載及び請求人の主張から，請求人が１９４７年に設立されたイタリア国のスポーツカー製造業者であり，創始以来，跳ね馬紋章をコーポレートシンボルとして使用し，その跳ね馬紋章は，請求人又は請求人が参戦するＦＩレースにおける請求人チームの象徴として，請求人の取り扱うスポーツカーの需要者やＦＩレースの観戦者の間に広く認識されていたであろうことが推認される。
　そして，その跳ね馬紋章が，イタリア語で「ｃａｖａｌｌｉｎｏ　ｒａｍｐａｎｔｅ」と称されること，また，それが「キャバリーノ・ランパンテ」「カヴァリーノ・ランパンテ」などの表記で日本にも紹介され，請求人又はその関係者が取り扱う跳ね馬紋章が施された商品の説明に，「キャバリーノ」，「カバリノ」，「Ｃａｖａｌｌｉｎｏ」などの文字が使用されていることが認められる。
　しかし，甲第３号証ないし甲第１３号証によっては，「ｃａｖａｌｌｉｎｏ　ｒａｍｐａｎｔｅ」，「ｃａｖａｌｌｉｎｏ」又はその表音と認められる「キャバリーノ・ランパンテ」，「カヴァリーノ・ランパンテ」，「キャバリーノ」などの文字の日本における使用開始時期を特定することができないか，また，特定できるとしても，その日にちはいずれも本件商標の出願日以降のものである。
　そうすると，前記の甲第３号証ないし甲第１３号証によっては，請求人標章が本件商標の出願時に跳ね馬紋章の愛称又は略称，もしくは，請求人の業務に係る商品及び役務を表示するものとして，日本国内における需要者の間に広く認識されていたものと認めることはできない。
（２）請求人は，請求人標章がイタリア国を含む外国で使用されている事実を示すものとして，甲第２４号証ないし甲第２９号証を提出したので，前記（１）と同様に，これらが出願時及び査定時における事実を立証するものであるか否かを踏まえ，以下のとおり検討する。
　甲第２４号証及び甲第２５号証は，英国法人ＴＳＳ＆Ｐ社が１９９９年，２０００年に発行した請求人のオフィシャルグッズカタログと認められる。これらには，跳ね馬紋章が施された帽子とＴシャツなどの商品が掲載され，「Ｃａｖａｌｌｉｎｏ　ｃａｐ」，「ＣａｖａｌｌｉｎｏＶ　Ｔ−ｓｈｉｒｔ」のように，商品名又は説明文中に「Ｃａｖａｌｌｉｎｏ」の文字が使用されていることが認められる。
　甲第２６号証及び甲第２７号証は，請求人に関連する商品のカタログと認められる。そのそれぞれのカタログの商品の説明文中に「Ｃａｖａlｌｉｎｏ」の文字が使用されていることが認められるが，カタログの発行日などを特定する記載はない。
　甲第２８号証は，請求人のウェブサイトの商品紹介ページと認められる。これには商品名として「Ｃａｖａｌｌｉｎｏ　ｎｅｃｋ　ｓｃａｒｆ」などの記載はあるが，「Ｓｃｕｄｅｒｉａ　Ｆｅｒｒａｒｉ　Ｓｐｒｉｎｇ／Ｓｕｍｍｅｒ　２００９　Ｃｏｌｌｅｃｔｉｏｎ」と記載され，その掲載日は２００９年であることが推認される。
　甲第２９号証の１ないし２０は，イタリアの雑誌記事と認められる。そのそれぞれの記事中に「Ｃａｖａｌｌｉｎｏ　ｒａｍｐａｎｔｅ」又は「Ｃａｖａｌｌｉｎｏ」などの文字が記載され，そのうちの１ないし６及び２０には，年表示と認められる箇所に，本件商標の出願日以前と認められる「Ｍａｇｇｉｏ　１９９８」又は「Ａｐｒｉｌｅ　１９９８」の記載がある。しかし，甲第２９号証の７ないし１９には，年表示と認められる箇所に，いずれも２００６と記載されている。
　以上のとおり，前記各号証には，いずれも「Ｃａｖａｌｌｉｎｏ　ｒａｍｐａｎｔｅ」又は「Ｃａｖａｌｌｉｎｏ」の文字が記載されていることが認められる。しかし，これらの証拠のうち，甲第２６号証，甲第２７号証及び甲第２９号証の７ないし１９は，本件商標の出願時の使用の事実を証明するものではない。そして，これら以外の出願日前の使用が確認できる証拠にしても，そのほとんどが「Ｃａｖａｌｌｉｎｏ　ｒａｍｐａｎｔｅ」又は「Ｃａｖａｌｌｉｎｏ」文字が跳ね馬紋章と共にその紋章の説明として用いられているものであり，かつ，当該文字の商品を表すものとして使用が確認できるものは，甲第２４号証と甲第２５号証のみである。
　さらに，請求人は，アメリカ合衆国において，「ＣＡＶＡＬＬＩＮＯ」を表題とする雑誌（乙第１３号証）が古くから刊行されていることから，同国において，「Ｃａｖａｌｌｉｎｏ」が「Ｃａｖａｌｌｉｎｏ　ｒａｍｐａｎｔｅ」と明瞭に識別されている旨主張するが，当該雑誌には「ＪＵＮＥ／ＪＵＬＹ２００９」と記載され，２００９年発行のものと認められ，これが本件商標の出願時における「Ｃａｖａｌｌｉｎｏ」の著名性を立証するものとはいえない。
　そうすると，前記の甲第２３号証ないし甲第２７号証及び乙第１３号証は，「Ｃａｖａｌｌｉｎｏ　ｒａｍｐａｎｔｅ」又は「Ｃａｖａｌｌｉｎｏ」の文字の本件商標の出願時以前の使用を立証するには十分なものとはいえず，請求人標章が，本件商標の出願時に，跳ね馬紋章の愛称又は略称，もしくは，請求人の業務に係る商品及び役務を表示するものとして，イタリア国を始めとする外国における需要者の間に広く認識されている商標であると認めることはできない。
（３）以上のとおり，請求人及び被請求人の提出の証拠を精査しても，請求人標章が，本件商標の出願時に，跳ね馬紋章の愛称又は略称，もしくは，請求人の業務に係る商品又は役務を表示するものとして，日本国内及び外国における需要者の間に広く認識されている商標であるということはできない。
２　請求人標章と本件商標との類否について
　請求人標章は，「Ｃａｖａｌｌｉｎｏ」及び「Ｃａｖａｌｌｉｎｏ　ｒａｍｐａｎｔｅ」の欧文字からなるところ，これらは，イタリア語を表したものであって，「Ｃａｖａｌｌｉｎｏ」は若駒の意味を，「Ｃａｖａｌｌｉｎｏ　ｒａｍｐａｎｔｅ」は，全体として「跳ね馬」の意味を有するものと認められる（乙第１号証及び乙第２号証）。そして，これらは，それぞれの構成文字から「キャバリーノ」又は「キャバリーノランパンテ」と無理なく称呼し得るものといえるが，日本におけるイタリア語の普及度からすると，双方とも特定の観念を生じない造語とみるのが相当である。
　一方，本件商標は，「キャバリーノ」の片仮名文字からなるものであるから，「キャバリーノ」の称呼を生ずるものであり，また，これが我が国において特定の意味を持って親しまれた語とはいえないから，特定の観念を生じないものである。
　そうすると，「Ｃａｖａｌｌｉｎｏ」と本件商標とは，「キャバリーノ」の称呼を共通にする類似の標章ということができる。
　次に，「ｃａｖａｌｌｉｎｏ　ｒａｍｐａｎｔｅ」と本件商標とを比較すると，それぞれから生ずる「キャバリーノランパンテ」と「キャバリーノ」の称呼は，「ランパンテ」の音の有無という構成音数の差，音構成の差などにより明瞭に区別し得るものである。そして，両者は，それぞれの構成に照らし，外観上判然と区別し得るものであり，また，観念上は比較することができない。
　これに対して，請求人は，跳ね馬紋章が「キャバリーノ」と略称して取引に用いられている事情があることなどから，「ｃａｖａｌｌｉｎｏ　ｒａｍｐａｎｔｅ」から「キャバリーノ」の称呼をも生ずる旨主張するが，前記のとおり，跳ね馬紋章が「キャバリーノ」と略称して需要者の間に広く認識されているとはいえないから，この点に関する請求人の主張は採用することができない。
　そうすると，「ｃａｖａｌｌｉｎｏ　ｒａｍｐａｎｔｅ」と本件商標は，外観，称呼及び観念のいずれの点においても互いに相紛れることのない非類似の標章である。
３　不正の意図について
　請求人は，被請求人は請求人のスポーツカー及びレーシングチームを主題とする「ＳＣＵＤＥＲＩＡ」を含む，著名な自動車製造業者の所有する商標を常習的に第１６類，第４１類などについて取得していることから，本件商標も，著名な請求人標章が本件商標の指定商品及び指定役務について登録されていないことを奇貨として，先取り的に出願したものであり，請求人標章の有する出所表示機能を希釈化させる目的で出願したものである旨主張するが，請求人の主張する被請求人所有の登録商標の出願経緯などについて，社会的妥当性を欠くなどとする不正な目的があったとする具体的な証左はなく，また，本件商標の出願についても，その出願経緯などについて社会的妥当性を欠くなどとする不正な目的があったとする事実は認められない。
４　商標法第４条第1項第１５号，第１９号及び第７号の該当性について
　前記１ないし３において認定した事実を前提に，本件商標が商標法第４条第１項第１５号，第１９号及び第７号に該当するものであるか否かについて検討する。
　前記２のとおり，請求人標章中の「Ｃａｖａｌｌｉｎｏ」は，本件商標と類似する標章である。　
　しかしながら，前記１のとおり，請求人標章は，本件商標の登録出願時に，跳ね馬紋章の愛称又は略称，もしくは，請求人の業務に係る商品又は役務を表示するものとして，日本国内における需要者の間に認識されていたものといえないから，本件商標をその指定商品及び指定役務に使用した場合に，これに接する需要者が，直ちに請求人標章ないし請求人を連想し，想起するようなことはないというべきであり，該商品及び役務が申立人又は同人と経済的・組織的に何らかの関係を有する者の業務に係るものであるかのごとく，その出所について混同を生ずるおそれはない。
　したがって，本件商標は，商標法第４条第１項第１５号に該当しない。
　また，前記１及び３のとおり，請求人標章は，請求人の業務に係る商品及び役務を表示するものとして本件商標の登録出願時に日本国内及び外国における需要者の間に広く認識されている商標とはいえず，本件商標が不正の目的（不正の利益を得る目的，他人に損害を加える目的その他の目的）で出願し，登録を受けたものともいえない。さらに，本件商標の出願が社会的妥当性を欠きその使用が社会公共の利益に反するものということもできない。
　したがって，本件商標は，商標法第４条第１項第１９号及び第７号に該当しない。
４　むすび
　以上のとおり，本件商標の登録は，商標法第４条第１項第７号，第１５号及び第１９号に違反してされたものではないから，同法第４６条第１項の規定により，無効とすべきものではない。
　よって，結論のとおり審決する。